(57)【特許請求の範囲】
【請求項１】
エレベータ出入口の近傍に形成された制御盤収納部と、
前記制御盤収納部内に収納されたエレベータ制御用の制御盤と、
前記制御盤収納部を開閉するようにヒンジを支点として回動する回動式扉と、
前記回動式扉のヒンジ側の側方周縁に、直角に３回階段状に折曲げられて形成された扉当り部と、
前記扉当り部の最周縁面に隣接して当該最周縁面に対して直角な前記扉当り部の一部の外側面に設けられた角状の断熱パッキン材と、
を備え、
前記回動式扉が閉じている時に、前記扉当り部の最周縁面と前記制御盤収納部とが面接触するようになっており、
前記制御盤収納部の前記扉当り部との面接触部の近傍の周縁に、Ｕ字状の収容部が形成されていて、前記回動式扉が閉じている時に前記断熱パッキン材が当該収容部内に収容されるようになっている
ことを特徴とするエレベータの制御装置。
【請求項２】
前記回動式扉の他の周縁部に、更なる角状の断熱パッキン材が設けられており、
前記回動式扉が閉じている時に、前記更なる角状の断熱パッキン材と前記制御盤収納部とが面接触するようになっている
ことを特徴とする請求項１に記載のエレベータの制御装置。
【請求項３】
前記回動式扉は、耐火構造を有することを特徴とする請求項１または２に記載のエレベータの制御装置。
【請求項４】
前記回動式扉を自動的に閉じるよう付勢する付勢機構と、
前記回転式扉が前記制御盤収納部を閉じている状態を固定するロック機構と、
を更に備えたことを特徴とする請求項１乃至３のいずれかに記載のエレベータ制御装置。
【発明の詳細な説明】
【０００１】
【発明の属する技術分野】
本発明はエレベータの制御装置に係り、とりわけ、エレベータ出入口の近傍に形成されると共に防火性能に優れるエレベータの制御装置に関する。
【０００２】
【従来の技術】
従来、エレベータの駆動装置及び制御装置は、昇降機とは別に、建築物の最上階の更に上層部分に構築された機械室の内部に設置されていた。この場合、機械室に防火戸などの防火設備を設けることにより、建築物に火災等が発生しても、機械室を外界から遮断して火災による制御装置の被害を防ぐことが可能である。
【０００３】
一方で、建築物の最上階の更に上層部分に機械室を構築することは、建物の設計上困難な場合があり、また、スペースの有効活用という観点からも好ましくない。そこで、エレベータ出入口の近傍にエレベータの制御装置を設置する構成が提案されている。
【０００４】
エレベータ出入口の近傍にエレベータの制御装置を設置した構造について、図８を用いて説明する。
【０００５】
図８に示すエレベータ構造は、エレベータ昇降路を規定する互いに平行な複数のガイドレール１０３、１２３と、ガイドレール１０３、１２３に沿って昇降する乗り籠１０４と、乗り籠１０４の昇降駆動のための主ロープ１１７、カウンタウェイト１１８及び巻上機１２４を備えている。
【０００６】
図８に示すエレベータ構造は、制御装置である制御盤１４０をエレベータ出入口１３０の近傍に設置し、巻上機１２４を昇降路の最上部に格納することによって、機械室を必要としない構造を実現している。巻上機１２４は、図８に示す構造ではガイドレール１２３の最上部に固定されているが、昇降路の最下部に格納することも可能である。また、制御盤１４０は、通常は最上階に設置されるが、どの階に設置されてもよい。
【０００７】
乗り籠１０４は、その下面側に、従動シーブ１２２を回動自在に支持している。そして従動シーブ１２２に、主ロープ１１７が掛渡されている。主ロープ１１７は、金属などからなり、その一端部が一方のガイドレール１０３の上端部に取付けられているとともに、巻上機１２４を通過して、他端部が他方のガイトレールの上端部などに取付けられている。このような構造により、巻上機１２４によるカウンタウェイト１１８とのつり合い長さを調整することで、乗り籠１０４の昇降を制御することができる。
【０００８】
巻上機１２４によるつり合い長さの調整のための制御装置は、前述の制御盤１４０内に配置されている。制御盤１４０は、エレベータ出入口１３０の近傍に形成された制御盤収納部１４１内に設置されている。
【０００９】
制御盤収納部１４１には、その開閉のための開閉扉１４２が設けられている。一般に開閉扉１４２は、その一側縁部がヒンジを介して回動自在に枢支され、このヒンジを支点とする回動動作によって開閉するようになっている。開閉扉１４２は、通常は制御盤１４０の防塵等のために閉とされ、制御盤１４０の点検などの際に開とされる。
【００１０】
開閉扉１４２と制御盤収納部１４１との接触部分の拡大図を図９に示す。図９に示すように、開閉扉１４２の周縁部は、Ｌ字状に折り曲げられている。
【００１１】
【発明が解決しようとする課題】
図８を用いて説明したエレベータ構造においては、エレベータの制御装置がエレベータの出入口近傍に設置されているため、エレベータの出入口近傍で生じ得る火災などのためのエレベータの制御装置の防火対策が必要である。
【００１２】
また、火災発生時等において、エレベータ昇降路側からの火炎、熱などが、制御盤収納部を介してエレベータの出入口近傍に伝わることを防止することも、防火対策として必要である。
【００１３】
一方で、従来の図９に示すような構造では、制御盤収納部１４１と開閉扉１４２との接触が不完全になり易く、制御盤収納部１４１の内外を遮断することが困難である。
【００１４】
本発明は、このような点を考慮してなされたものであり、エレベータ出入口の近傍に形成されると共に防火性能に優れるエレベータの制御装置を提供することを目的とする。
【００１５】
【課題を解決するための手段】
本発明は、エレベータ出入口の近傍に形成された制御盤収納部と、前記制御盤収納部内に収納されたエレベータ制御用の制御盤と、前記制御盤収納部を開閉するようにヒンジを支点として回動する回動式扉と、前記回動式扉のヒンジ側の側方周縁に、直角に３回階段状に折曲げられて形成された扉当り部と、前記扉当り部の最周縁面に隣接して当該最周縁面に対して直角な前記扉当り部の一部の外側面に設けられた角状の断熱パッキン材と、を備え、前記回動式扉が閉じている時に、前記扉当り部の最周縁面と前記制御盤収納部とが面接触するようになっており、前記制御盤収納部の前記扉当り部との面接触部の近傍の周縁に、Ｕ字状の収容部が形成されていて、前記回動式扉が閉じている時に前記断熱パッキン材が当該収容部内に収容されるようになっていることを特徴とするエレベータの制御装置である。
【００１６】
本発明によれば、断熱パッキン材がＵ字状の収容部内に収容されることにより、制御盤収納部と回動式扉の外界とが効果的に遮断されるため、制御盤収納部と回動式扉の外界との間の火炎、煙および熱風の通過、あるいは熱の伝達を顕著に抑制する。
【００１９】
【発明の実施の形態】
以下、図面を参照して本発明の実施の形態について説明する。
【００２０】
図１は、本発明の第１の実施の形態によるエレベータの制御装置１０が利用されたエレベータ構造の概略構成図である。
【００２１】
図１に示すエレベータ構造は、エレベータ昇降路を規定する互いに平行な複数のガイドレール３、２３と、ガイドレール３、２３に沿って昇降する乗り籠４と、乗り籠４の昇降駆動のための主ロープ２７、カウンタウェイト２８及び巻上機２４を備えている。巻上機２４は、ガイドレール２３の最上部に固定されている。制御装置１０は、最上階のエレベータ出入口３０の近傍に配置されている。
【００２２】
もっとも、巻上機２４は昇降路の最下部に格納することも可能であるし、制御装置１０はどの階のエレベータ出入口３０の近傍に設置されてもよい。
【００２３】
乗り籠４は、その下面側に、従動シーブ２２を回動自在に支持している。そして従動シーブ２２に、主ロープ２７が掛渡されている。主ロープ２７は、金属などからなり、その一端部が一方のガイドレール３の上端部に取付けられているとともに、巻上機２４を通過して、他端部が他方のガイトレールの上端部などに取付けられている。このような構造により、主ロープ２７を介して巻上機２４によるカウンタウェイト２８とのつり合い長さを調整することで、乗り籠４の昇降を制御することができる。
【００２４】
次に、本発明の第１の実施の形態によるエレベータの制御装置１０について説明する。前述のように、エレベータの制御装置１０は、エレベータ出入口３０の近傍に配置されている。
【００２５】
図２は、本実施の形態における制御装置１０とエレベータ出入口３０との位置関係を示す正面図であり、図３は図２のIII−III線断面図である。
【００２６】
図２及び図３に示すように、本実施の形態のエレベータの制御装置１０は、エレベータ出入口３０のフロア側（昇降路と逆側）であって、エレベータ出入口３０に隣接する位置に形成された制御盤収納部１１と、制御盤収納部１１内に収納されたエレベータ用の制御盤１２とを備えている。制御盤１２は、巻上機２４によるつり合い長さの調整等のための制御回路等を有している。
【００２７】
制御盤収納部１１には、制御盤収納部１１の開閉を行う回動式扉１３が取付けられている。図３に示すように、回動式扉１３は、その一側縁部が制御盤収納部１１にヒンジを介して回動自在に枢支され、このヒンジを支点とする回動動作によって開閉するようになっている。
【００２８】
図２に示すように、本実施の形態の回動式扉１３の上方には、回動式扉１３に自動的に閉じるような付勢力を与えるスプリング１５（付勢機構）が設けられている。図４は、図２のIV−IV線断面図である。図４に二点鎖線で示すように、回動式扉１３が開いている時にはスプリング１５が伸びるため、スプリング１５の復元力が回動式扉１３に自動的に閉じるような付勢力を与える。
【００２９】
図５は、図２のＶ−Ｖ線断面図であり、図６は、図２のVI−VI線断面図である。図５及び図６に示すように、制御盤収納部１１に当接する回動式扉１３の周縁には、制御盤収納部１１の当接面に沿うようにＵ字状に折曲げられて扉当り部１３ａが形成されている。扉当り部１３ａは、図５及び図６に示すように、回動式扉１３が閉じている時に制御盤収納部１１と面接触するようになっている。
【００３０】
また、本実施の形態の制御装置１０は、図４乃至図６に示すように、回動式扉１３の周縁部に角状の断熱パッキン材１８が固着されている。断熱パッキン材１８は、通常のパッキンゴム（７００プレンスポンジゴム等）と異なり、例えばフッ素ゴムなどの耐熱性の高い材料が採用される。この断熱パッキン材１８は、回動式扉１３が閉じている時に、制御盤収納部１１と面接触するようになっている。
【００３１】
また、図５に示すように、回動式扉１３と制御盤収容部１１との間には、回転式扉１３が制御盤収納部１１を閉じている状態を固定するロック機構１７が設けられている。
【００３２】
以上のような構成よりなる制御装置１０では、扉当り部１３ａが、回動式扉１３が閉じている時に制御盤収納部１１と面接触しており、回動式扉１３の内側と外側とが効果的に遮断されている。従って、制御装置１０の制御盤１２は、エレベータの出入口近傍で生じ得る火災等から効果的に保護される。さらには、エレベータ昇降路側からの火炎、煙、熱風などが、制御盤収納部１１を介してエレベータの出入口３０近傍に流れ出ることも防止される。
【００３３】
また、本実施の形態によれば、断熱パッキン材１８が、回動式扉１３が閉じている時に制御盤収納部１１と面接触していることによって、回動式扉１３の内側と外側とをより効果的に遮断している。断熱パッキン材１８は、高い耐熱性を有するため、火災時に消失することが効果的に抑制され、継続して断熱効果を奏することができる。
【００３４】
また、本実施の形態によれば、スプリング１５が回動式扉１３に自動的に閉じるような付勢力を与えるため、必要でない時に回動式扉１３が開いてしまうことが防止される。また、本実施の形態では、ロック機構１７を設けているため、必要でない時に回動式扉１３が開いてしまうことを更に確実に防止することができる。
【００３５】
なお、本実施の形態では、断熱パッキン材１８と扉当り部１３ａとを回動式扉１３の全周縁部に設けているが、各周縁部において、断熱パッキン材１８の固着あるいは扉当り部１３ａの形成を省略することができる。なお、回動式扉１３の下縁部に設けられた断熱パッキン材１８は、防滴効果も奏する。
【００３６】
次に、本発明の第２の実施の形態のエレベータの制御装置について図７を用いて説明する。図７は、第２の実施の形態のエレベータの制御装置の概略断面図である。
【００３７】
図７に示すように、本実施の形態のエレベータの制御装置１０は、回動式扉１３が耐火構造としての断熱材１９を有している他は、図１に示す第１の実施の形態と同様の構成である。第２の実施の形態において、図１に示す第１の実施の形態と同一の部分には同一の符号を付して詳細な説明は省略する。
【００３８】
本実施の形態における断熱材１９は、例えば熱伝導性の低いロックウォール等によって構成され、図７に示すように、回動式扉１３の裏面側（制御盤収納部１１側）に貼付されている。
【００３９】
本実施の形態によれば、回動式扉１３に貼付された断熱材１９によって、回動式扉１３の断熱効果がより向上し、内側の制御盤１２を外部の熱から保護できる。
【００４０】
なお、断熱材の貼付の他、回動式扉１３を２枚の鋼板で構成するいわゆる裏打ち構造を採用してもよい。この場合には、回動式扉１３自体が耐火構造となる。
【００４１】
【発明の効果】
本発明によれば、断熱パッキン材がＵ字状の収容部内に収容されることにより、制御盤収納部と回動式扉の外界とが効果的に遮断されるため、制御盤収納部と回動式扉の外界との間の火炎、煙および熱風の通過、あるいは熱の伝達を顕著に抑制することができる。
【００４３】
従って、エレベータ出入口の近傍に形成されると共に、防火性能に優れるエレベータの制御装置を提供することが実現される。
【図面の簡単な説明】
【図１】本発明のエレベータの制御装置の第１の実施の形態が利用されたエレベータ構造の一例を示す構成概略図。
【図２】本発明のエレベータの制御装置の第１の実施の形態とエレベータ出入口とを示す正面図。
【図３】図２のIII−III線断面図。
【図４】図２のIV−IV線断面図。
【図５】図２のＶ−Ｖ線断面図。
【図６】図２のVI−VI線断面図。
【図７】本発明のエレベータの制御装置の第２の実施の形態を示す断面図。
【図８】機械室を必要としないエレベータ構造の説明図。
【図９】従来のエレベータの制御装置の開閉扉の周縁部の構造を示す断面図。
【符号の説明】
３、２３  ガイドレール
４  乗り籠
１０  エレベータの制御装置
１１  制御盤収納部
１２  制御盤
１３  回動式扉
１３ａ  扉当り部
１５  スプリング
１７  ロック機構
１８  断熱パッキン材
１９  断熱材
２２  従動シーブ
２４  巻上機
２７  主ロープ
２８  カウンタウェイト
３０  エレベータ出入口
１０３、１２３  ガイドレール
１０４  乗り籠
１３０  エレベータ出入口
１４０  制御盤
１４１  制御盤収納部
１４２  開閉扉
【図１】
0004266430.tif 000002
【図２】
0004266430.tif 000003
【図３】
0004266430.tif 000004
【図４】
0004266430.tif 000005
【図５】
0004266430.tif 000006
【図６】
0004266430.tif 000007
【図７】
0004266430.tif 000008
【図８】
0004266430.tif 000009
【図９】
0004266430.tif 000010